(57)【要約】【課題】印刷条件設定後、ユーザが試し印刷を容易に行い、コピー作業を効率的に行うことができる印刷システム、その印刷方法を提供する。【解決手段】パソコン６で印刷文書を指定し、プリンタドライバ７で印刷条件１１を設定する。又は従来の出力装置２で文書指定を行い、印刷条件１１を設定する。パソコン６又は従来の出力装置２は、設定した印刷条件１１に基づく出力内容１２を作成し画像バッファ１７に送ると共に、従来の出力装置２へ送る。従来の出力装置２は、印刷画像４を作成しハードディスク８に格納する。また、印刷画像４をリライタブルペーパー出力装置１に送信して、リライタブルペーパー３に試し印刷する。ユーザは試し印刷画像を見て間違いがなければ、リライタブルペーパー出力装置１に設けられた印刷開始ボタン９を押す。従来の出力装置２は、ハードディスク８に格納された印刷画像４を本印刷する【選択図】        図２
2005022343.tif 000002
【特許請求の範囲】
【請求項１】
印刷出力装置と書き換え機能を有するリライタブル印刷出力装置とを接続してなる印刷システムの印刷方法であって、
印刷出力装置において印刷条件を設定し、設定した印刷条件に基づいて印刷画像を作成し、作成した印刷画像をリライタブル印刷出力装置に送信し、
リライタブル印刷出力装置は印刷画像をリライタブル用紙に試し印刷し、
印刷出力装置は試し印刷後に本印刷の指示があったとき印刷画像を印刷することを特徴とする印刷システムの印刷方法。
【請求項２】
情報処理端末と印刷出力装置とリライタブル印刷出力装置とをネットワークで接続してなり、
情報処理端末において印刷出力装置のプリンタドライバ上で印刷条件を設定し、
設定された印刷条件に基づいて印刷画像を作成し、作成した印刷画像をリライタブル印刷出力装置に送信し、
リライタブル印刷出力装置は印刷画像をリライタブル用紙に試し印刷し、
印刷出力装置は試し印刷後に本印刷の指示があったとき印刷画像を印刷するようにしたことを特徴とする印刷システムの印刷方法。
【請求項３】
前記本印刷の指示をリライタブル印刷出力装置から行うことを特徴とする請求項１又は２記載の印刷システムの印刷方法。
【請求項４】
前記印刷画像を記憶装置に記憶し、その際、記憶装置における印刷画像の頁ごとの記憶場所を示す情報を記録保存し、
前記試し印刷の後、試し印刷をやり直す頁について印刷条件の再設定を行い、
再設定された印刷条件に基づいて新たな印刷画像を作成し、
前記リライタブル印刷出力装置に新たな印刷画像の試し印刷を指示し、やり直す頁の印刷画像の前記記憶装置における記憶場所を前記記録保存した情報から取得し、
取得した記憶場所の印刷画像を新たな印刷画像と置き換えることを特徴とする請求項１から３のいずれか１項に記載の印刷システムの印刷方法。
【請求項５】
前記印刷条件を再設定し、変更後の印刷条件に基づいて新たな印刷画像作成して確認番号を付加し、
変更前の印刷条件の項目と値を一覧表にし、この一覧表に変更後の印刷条件の項目と値と確認番号を付加し、前記リライタブル印刷装置により一覧表を印刷することを特徴とする請求項１から４のいずれか１項に記載の印刷システムの印刷方法。
【請求項６】
前記印刷条件の設定を行う際に画像内容と無関係な印刷条件を設定し、その無関係な印刷条件を示す図や文字列を印刷画像に合成描画し、この合成描画された印刷画像をリライタブル印刷出力装置で印刷することを特徴とする請求項１から５のいずれか１項に記載の印刷システムの印刷方法。
【請求項７】
前記画像内容と無関係な印刷条件は、両面印刷、パンチ、ステープルであることを特徴とする請求項６記載の印刷システムの印刷方法。
【請求項８】
前記印刷条件の設定を行う際、両面印刷且つパンチ、又は両面印刷且つステープルの組み合わせを設定し、奇数頁（又は偶数頁）でパンチ又はステープルを左右上下のうちどれか１つの位置に配置し、それを示す図や文字列を印刷画像に合成描画すると共に、偶数頁（又は奇数頁）では奇数頁（又は偶数頁）の位置と対称となる位置にパンチ又はステープルを配置し、それを示す図や文字列を印刷画像に合成描画し、この合成描画された印刷画像をリライタブル印刷出力装置で印刷することを特徴とする請求項１から７のいずれか１項に記載の印刷システムの印刷方法。
【請求項９】
印刷条件を設定し、設定した印刷条件に基づいて印刷画像を作成して送信し、印刷の指示があったとき印刷画像を印刷する印刷出力装置と、
前記印刷画像を受信してリライタブル用紙に印刷するリライタブル印刷出力装置とを接続したことを特徴とする印刷システム。
【請求項１０】
印刷条件を設定し、設定した印刷条件に基づいて印刷画像を作成して送信する情報処理端末と、
前記印刷画像を受信し、本印刷の指示があったとき印刷画像を印刷する印刷出力装置と、
印刷画像を受信してリライタブル用紙に試し印刷するリライタブル印刷出力装置とをネットワークに接続したことを特徴とする印刷システム。
【請求項１１】
前記試し印刷後に本印刷の指示を行う操作手段を前記リライタブル印刷出力装置に設けたことを特徴とする請求項９又は１０記載の印刷システム。
【請求項１２】
前記作成した印刷画像を記憶する記憶装置と、
その記憶の際、記憶装置における印刷画像の頁ごとの記憶場所を示す情報を記録保存する保存手段と、
前記試し印刷の後、試し印刷をやり直す頁について前記印刷条件の再設定を行うと共に、変更後の印刷条件に基づいて新たな印刷画像を作成し、前記リライタブル印刷出力装置に新たな印刷画像の試し印刷を指示し、やり直す頁の印刷画像の前記記憶装置における記憶場所を前記保存手段から取得し、取得した記憶場所の印刷画像を新たな印刷画像と置き換える制御手段とを設けたことを特徴とする請求項９から１１のいずれか１項に記載の印刷システム。
【請求項１３】
前記印刷条件を再設定した場合、変更後の印刷条件に基づいて新たな印刷画像を作成して確認番号を付加し、変更前の印刷条件の項目と値を一覧表にし、この一覧表に変更後の印刷条件の項目と値、確認番号を付加する制御手段を設け、前記リライタブル印刷装置は一覧表を印刷することを特徴とする請求項９から１２のいずれか１項に記載の印刷システム。
【請求項１４】
前記印刷条件の設定を行う際に画像内容と無関係な印刷条件を設定した場合、その無関係な印刷条件を示す図や文字列を印刷画像に合成描画する制御手段を設け、リライタブル印刷出力装置は、この合成描画された印刷画像を印刷することを特徴とする請求項９から１３のいずれか１項に記載の印刷システム。
【請求項１５】
前記画像内容と無関係な印刷条件は、両面印刷、パンチ、ステープルであることを特徴とする請求項１４記載の印刷システム。
【請求項１６】
前記印刷条件の設定を行う際、両面印刷且つパンチ、又は両面印刷且つステープルの組み合わせを設定した場合、前記制御手段は、奇数頁（又は偶数頁）でパンチ又はステープルを左右上下のうちどれか１つの位置に配置し、それを示す図や文字列を印刷画像に合成描画すると共に、偶数頁（又は奇数頁）では奇数頁（又は偶数頁）の位置と対称となる位置にパンチ又はステープルを配置し、それを示す図や文字列を印刷画像に合成描画する制御手段を設け、リライタブル印刷出力装置は、この合成描画された印刷画像を印刷することを特徴とする請求項９から１５のいずれか１項に記載の印刷システム。
【発明の詳細な説明】
【０００１】
【発明の属する技術分野】
本発明は、プリンタ、リライタブル印刷出力装置等の複数の印刷出力装置を接続してなる印刷システム及びこの印刷システムにおける印刷方法に関する。
【０００２】
【従来の技術】
コピー機、プリンタ、ＦＡＸ、又はそれらの機能を併合した複合機等の従来の印刷出力装置（以下、従来の出力装置と言う）においては、コピー等の印刷出力を行う前に種々の印刷条件を設定するようにしている。近年では、印刷条件の設定項目が多くなっていると共に、印刷処理の高速化が進んでいる。
【０００３】
また、従来より、書き換え可能な記録媒体及びこれを用いたリライタブルプリンタに関する様々な技術が提案されている（例えば、特許文献１、２、３参照）。
【０００４】
【特許文献１】
特開平９−８５９７２号公報
【特許文献２】
特開２００１−２７７４９１号公報
【特許文献３】
特開２００２−２２５３９１号公報
【０００５】
【発明が解決しようとする課題】
従来の出力装置において印刷条件の設定を誤ると、コピーした画像は、例えば、オリジナル書類が縦方向なのに印刷画像が横方向だったりして意図通りの印刷画像が得られず、用紙を無駄にしてしまうことがあった。印刷条件の設定項目数が多く変更が多い程、誤った設定をしがちである。また、従来の出力装置はますます高速化されており、短時間に大量の用紙に印刷が行われるので、印刷出力中に監視していて、印刷画像の異常に気付き、すぐに停止を指示しても、想像以上に多くの用紙を消費してしまう。
このように用紙使用量が多大になると、ユーザ又は管理者は、用紙の使用量を含む印刷コストをできるだけ削減しようとする。
【０００６】
これに対してメーカー側もユーザが意図した通りの印刷画像を得られるようにしようと、コピーのスキャン部に注意書きを加えたり、操作パネル内の印刷条件設定項目等を一目で分かりやすく表示する等の改善に努めてきた。それでも装置によっては仕様や使用方法が違っていたり、習熟度が浅いユーザがいたりして、印刷の失敗は依然として無くなることはなく、従って、用紙の無駄は無くならず、印刷コストが嵩む要因となっている。
尚、前記の各特許文献においても前記の問題を有効に解決できるものではなかった。
【０００７】
本発明は上記の問題を解決するためのもので、印刷条件設定後、ユーザが試し印刷を容易に行えると共に、作業を効率的に行うことができる印刷システム、その方法を提供することを目的とするものである。
【０００８】
【課題を解決するための手段】
上記の目的を達成するために本発明による印刷システムの印刷方法は印刷出力装置と書き換え機能を有するリライタブル印刷出力装置とを接続してなる印刷システムの印刷方法であって、印刷出力装置において印刷条件を設定し、設定した印刷条件に基づいて印刷画像を作成し、作成した印刷画像をリライタブル印刷出力装置に送信し、リライタブル印刷出力装置は印刷画像をリライタブル用紙に試し印刷し、印刷出力装置は試し印刷後に本印刷の指示があったとき印刷画像を印刷することを特徴とするものである。
【０００９】
また、本発明による印刷システムの印刷方法は、印刷出力装置とリライタブル印刷出力装置と情報処理端末とをネットワークで接続してなり、情報処理端末において印刷出力装置のプリンタドライバ上で印刷条件を設定し、設定された印刷条件に基づいて印刷画像を作成し、作成した印刷画像をリライタブル印刷出力装置に送信し、リライタブル印刷出力装置は印刷画像をリライタブル用紙に試し印刷し、印刷出力装置は試し印刷後に本印刷の指示があったとき印刷画像を印刷出力するようにしたことを特徴とするものである。
【００１０】
また、本発明による印刷システムは、印刷条件を設定し、設定した印刷条件に基づいて印刷画像を作成して送信し、印刷の指示があったとき印刷画像を印刷する印刷出力装置と、前記印刷画像を受信してリライタブル用紙に印刷するリライタブル印刷出力装置とを接続したことを特徴とするものである。
【００１１】
また、本発明による印刷システムは、印刷条件を設定し、設定した印刷条件に基づいて印刷画像を作成して送信する情報処理端末と、前記印刷画像を受信し、本印刷の指示があったとき印刷画像を印刷する印刷出力装置と、印刷画像を受信してリライタブル用紙に試し印刷するリライタブル印刷出力装置とをネットワークに接続したことを特徴とするものである。
【００１２】
【発明の実施の形態】
以下、本発明の実施の形態を図面と共に説明する。
図１は本発明の実施の形態による印刷システムを示すブロック図である。
図１において、パソコン（情報処理端末）６本体の中には、制御プログラム１８、ＣＰＵ１９、メモリ１４、ハードディスク８、画像バッファ１７、プリンタドライバ７が収められている。
【００１３】
リライタブルペーパー出力装置（リライタブル印刷出力装置）１と従来の出力装置（印刷出力装置、従来のプリンタ）２には、制御プログラム１８、ＣＰＵ１９、メモリ１４、ハードディスク８が収められている。リライタブルペーパー出力装置１は、リライタブルペーパー３を用いてリライタブルに印刷出力を行う。リライタブルペーパー３は、ペーパー自体の物質に化学変化を起こして印刷内容の書き換えができるようにしたもので、トナーは不要である。用紙５は従来の出力装置２で使用される。
【００１４】
尚、従来の出力装置２は、コピー機、プリンタ、ＦＡＸ、又はそれらの機能を併合した複合機である。また、リライタブルペーパー出力装置１、従来の出力装置２及びパソコン６等々はネットワークに接続されている。また、リライタブルペーパー出力装置１と従来の出力装置２とをケーブル等により直接接続してもよい。
【００１５】
メモリ１４は、一覧表１６のレイアウトや、画像内容と無関係の印刷条件１１を示す文字列や図２１を格納したり、印刷条件１１、ハードウェア８内の画像の記録場所１３、確認番号１５の値を保管する。ハードディスク８は、主に出力内容１２と印刷画像４を保管する。
【００１６】
画像バッファ１７は印刷画像４の元となる出力内容１２を形成するための作業場所である。プリンタドライバ７は印刷条件１１を設定するためのユーザとのインターフェースの役割を果たすソフトウェアである。ＣＰＵ１２は、制御プログラム１１の制御により各装置へコマンドを出す。
【００１７】
図２は本発明の第１の実施の形態によるシステムの構成とデータの流れを示すブロック図である。図３は動作を示すフローチャートである。
尚、本実施の形態は請求項３に関するものであるが、本発明の実用的な基本処理を含むので、請求項１と請求項２の説明を兼ねる形で、まず請求項３に関して説明する。
【００１８】
図２、図３において、まず、ユーザはパソコン６で印刷する文書を指定し、プリンタドライバ７で印刷条件１１を設定する。あるいは、ユーザは従来の出力装置２を用いて操作パネルから文書指定を行うと共に印刷条件１１を設定する（ステップＳ１、以下ステップ略）。パソコン６あるいは従来の出力装置２は、設定された印刷条件１１に基づくデータである出力内容１２を作成して画像バッファ１７に格納する（Ｓ２）。次に、画像バッファ１７の出力内容と印刷条件１１を従来の出力装置２へ送る（Ｓ３）。ここまでは図２の＜Ａ１＞に当たる。
【００１９】
従来の出力装置２は、印刷条件１１に基づいて印刷画像４を形成してハードディスク８に格納する（Ｓ４）。また、印刷画像４をリライタブルペーパー出力装置１に送信し、リライタブルペーパー出力装置１は印刷画像をリライタブルペーパー３に試し印刷する（Ｓ５）。ここまでは図２の＜Ａ２＞に当たる。
【００２０】
リライタブルペーパー出力装置１に設けられた印刷開始ボタン９が押されるのを待つ（Ｓ６）。ユーザはリライタブルペーパー出力装置１の設置場所に行き、リライタブルペーパー３に印刷された画像を見て、間違いがなければ、印刷開始ボタン９押す。これに応じて従来の出力装置２は、ハードディスク８に格納された印刷画像４を用紙５に印刷する（Ｓ７）。ここまでは図２の＜Ａ３＞と＜Ａ４＞に当たる。
【００２１】
一方、Ｓ６でリライタブルペーパー出力装置１のクリアボタンが押されると、処理中止になり、従来の出力装置２においてハードディスクの内容を破棄する（Ｓ８）。
【００２２】
本実施の形態によれば、パソコン６又は従来の出力装置２で印刷条件を設定、変更した場合に自動的に試し印刷が行われ、リライタブルペーパー出力装置１により１部だけリライタブルペーパー３に試し印刷することができる。リライタブルペーパー３は書き換え可能で、トナーも不要であるので、ユーザの意図した通りの印刷画像が得られなくても、リライタブルペーパー３を白紙の状態に戻し、再使用することができるので、用紙の無駄が無くなり、印刷コストの削減に繋がる。
【００２３】
また、リライタブルペーパー出力装置１に印刷開始ボタン９を設けたので、ユーザがリライタブルペーパー出力装置１の所へ行き、印刷画像４が正常であれば、その場で印刷開始ボタン９押すことにより、直ちに従来の出力装置２により本印刷を開始することができる。
【００２４】
通常では、従来の出力装置２又はパソコン６から印刷開始を指示するが、リライタブルペーパー出力装置１と従来の出力装置２又はパソコン６とのが離れている場合は、ユーザは従来の出力装置２又はパソコン６の所へ移動してから本印刷実行を指示しなければならず、操作が煩わしい上に作業効率が悪くなる。
さらに、パソコン６と接続していない従来の出力装置２内にハードディスク８がなければ、印刷画像４が残らないので、ユーザは従来の出力装置２に戻って、オリジナル書類をコピーのスキャン部にセットし直す必要があり手間がかかる。
【００２５】
また、本実施の形態では、ユーザが印刷条件１１を設定する場合、パソコン６で設定する場合と、従来の出力装置２で設定する場合とがある。従来の出力装置２を用いる場合は、従来の出力装置２とリライタブルペーパー出力装置１とをケーブル等を介して接続してよい。その場合、従来の出力装置２が複数あれば、リライタブルペーパー出力装置１も複数必要になる。
【００２６】
一方、パソコン６のソフトで作成した文書は数１０頁に及ぶことがあり、これを印刷する場合は、高速化された従来の出力装置２で効率的に行うことができる。また、ネットワーク上のリライタブルペーパー出力装置１の印刷量は、従来の出力装置２よりそれほど多くない。従って、利用効率を考えると、前記のように複数の従来の出力装置２にそれぞれリライタブルペーパー出力装置１を接続するのは資源の無駄であり、コスト高になる。従って、印刷条件１１の設定及び印刷画像の作成にはパソコン６を用いる方法が、リライタブルペーパー出力装置１の設置台数を最少限に留めることができるので有利である。
【００２７】
上記第１の実施の形態においては、全部の印刷画像４が意図通りでなければ、その分だけハードディスク８に保存したものをクリアしてやり直すしかないが、例えば全枚数が１０枚以上の印刷画像４のうち意図通りではない印刷画像が１、２枚と少数だった場合には、最初から全てやり直すのは作業効率が悪い。また、リライタブルペーパ３への再印刷も全頁行うのでは資源の無駄になり、作業時間が倍になってしまう。
【００２８】
それを防ぐためにやり直す頁の分だけ、リライタブルペーパ３に再印刷するにしても、ハードディスク８において印刷画像４の記録場所１３が不明であれば、変更前の印刷画像４を消せない上に、新たな印刷画像４Ｎを最後端に追加するしかない。この状態で従来の出力装置２から印刷条件設定１０通りにハードディスク８内の印刷画像４を印刷すると、用紙５の無駄になる他、頁が順番通りにならず両面印刷ができなくなるという問題が生じる。
次に述べる第２の実施の形態は、上記の問題を解決するものである。
【００２９】
請求項４に関する第２の実施の形態について図４及び図５のフローチャートと共に説明する。
まず、パソコン６（又は従来の出力装置２でもよいが、ここではパソコン６で説明する）で印刷する文書を指定してプリンタドライバ７で印刷条件１１を設定する（Ｓ１０）。次に、印刷条件１１に基づき出力内容１２を形成して画像バッファ１７に格納する（Ｓ１１）。次に、画像バッファ１７の内容と印刷条件１１を従来の出力装置２へ送る（Ｓ１２）。ここまでは図４の＜Ｂ１＞に当たる。
【００３０】
最初の処理なのでＳ１３での判断は自動的にＮｏになり、Ｓ１４へ進む（Ｓ１３）。印刷条件１１に基づき、印刷画像４を形成する（Ｓ１４）。印刷画像４をハードディスク８に格納する。この際、１頁格納する毎にハードディスク８への記録場所１３をメモリ１４に格納する（Ｓ１５）。以上は図４の＜Ｂ２＞に当たる。
【００３１】
印刷画像４をリライタブルペーパー出力装置１に送信して試し印刷する（Ｓ１６）。これは図４の＜Ｂ３＞に当たる。ユーザがリライタブルペーパー出力装置１で試し印刷された画像をチェックし正常であれば、リライタブルペーパー出力装置１に設けられている印刷開始ボタン９を押す。これに応じて従来の出力装置２は、ハードディスク８に格納された印刷画像４を用紙５に本印刷する。この後Ｓ１０に戻り、次の印刷条件を設定する。この場合は、処理のやり直しをしないので（Ｓ１７、Ｎｏ）、処理を終了する。
【００３２】
しかし、試し印刷画像に異常があれば、処理のやり直しを行うことになり（Ｓ１７、Ｙｅｓ）、Ｓ１０の処理へ戻る（Ｓ１７）。そして、印刷条件１１の再設定を行い、新たな印刷条件１１に基づいて出力内容１２を作成し画像バッファ１７に格納する。画像バッファ１７の内容と印刷条件１１を従来の出力装置２へ送る（Ｓ１０〜Ｓ１２）。以上は図４の＜Ｂ４＞に当たる。
【００３３】
この場合は処理のやり直しなので（Ｓ１３、Ｙｅｓ）、ハードディスク８においてやり直す頁の印刷画像４が入っている記録場所１３をメモリ１４から取得する（Ｓ１８）。図４の＜Ｂ５＞に当たる。同じ記録場所１３において変更前の印刷画像４変更後（印刷条件再設定後）の新たな印刷画４Ｎと置き換える（Ｓ１９）。これは図４の＜Ｂ６＞に当たる。
【００３４】
以降は、新たな印刷画像４Ｎについて再び試し印刷が行われ、その印刷画像が正常であれば、従来の出力装置２により新たな印刷画４Ｎの本印刷が用紙５に行われる。試し印刷画像に異常があれば、Ｓ１０に戻る。この再処理は図４の＜Ｂ７＞、＜Ｂ８＞に当たる。
【００３５】
本実施の形態によれば、やり直す頁の分だけ、リライタブルペーパー３への再印刷を行い、従来の出力装置２内のハードディスク８において、やり直す頁の画像の記録場所１３が示す印刷画像４を、印刷条件設定１０の再設定で形成された新たな印刷画像４Ｎと置き換えるので、最少限の作業時間や資源で済むことができる。
【００３６】
それでも、変更前の印刷条件設定１０と変更後の印刷条件設定１０Ａの項目と値を記録する手段がなく、また、どの印刷画像４がどの印刷条件設定１０又は１０Ａによるものかを記録する手段がないため、いちいちメモを取ったり、パソコン６で一覧表１６を作成し記録しなければならず。手間がかかり、作業効率が悪くなってしまうという問題がある。
次に説明する第３の実施の形態は上記問題を解決するものである。
【００３７】
請求項５に関する第３の実施の形態について図６及び図７のフローチャートと共に説明する。
まず、パソコン６内で印刷する文書を指定してプリンタドライバ７で印刷条件１１を設定しメモリ１４に格納する。従来の出力装置２を用いる場合は、操作パネルで印刷条件１１を設定し、メモリ１４に格納する（Ｓ２０、図６の＜Ｃ２＞）。
【００３８】
最初の処理なのでＳ２１の判断は自動的にＮｏになり、Ｓ２３へ進む（Ｓ２１）。
次に印刷条件１１に基づき出力内容１２を形成して画像バッファ１７に格納する（Ｓ２３）。画像バッファ１７の内容と印刷条件１１を従来の出力装置２へ送る（Ｓ２４、図６の＜Ｃ１＞）。
【００３９】
最初の処理なのでＳ２５での判断は自動的にＮｏになり、Ｓ２６へ進む（Ｓ２５）。印刷条件１１に基づき印刷画像４を形成する（Ｓ２６）。印刷画像４をハードディスク８に格納する。１頁毎に格納する度にハードディスク８への記録場所１３をメモリ１４に格納する（Ｓ２７、図６の＜Ｃ３＞）。
【００４０】
印刷画像４をリライタブルペーパー出力装置１に送信して印刷する（Ｓ２８、図６の＜Ｃ４＞）。最初の処理なのでＳ２９での判断は自動的にＮｏになり、Ｓ３０へ進む（Ｓ２９）。リライタブルペーパー出力装置１から試し印刷された画像をチェックし、正常であれば前述と同様の本印刷のための処理を行う。処理のやり直しをしないので、Ｓ３０での判断はＮｏになり、終了する。
しかし、リライタブルペーパー出力装置１で試し印刷された画像をチェックして異常であれば処理のやり直しを行うので、Ｓ３０での判断はＹｅｓになり、Ｓ２０の処理へ戻る。
【００４１】
印刷条件設定１０の再設定を行いメモリ１４に格納する（Ｓ２０、図６の＜Ｃ６＞）。処理のやり直しなのでＳ２１での判断はＹｅｓとなり、Ｓ２２へ進む（Ｓ２１）。確認番号１５を割り当てメモリ１４に格納する。同時に新たな印刷条件１１として出力内容１２を形成する際、確認番号１５を盛り込むようにする（Ｓ２２、図６の＜Ｃ５＞）。
【００４２】
新たな印刷条件１１に基づいて出力内容１２を形成し、画像バッファ１７に格納する（Ｓ２３）。画像バッファ１７の内容と印刷条件１１を従来の出力装置２へ送る（Ｓ２４、図６の＜Ｃ７＞）。処理のやり直しなので、Ｓ２５での判断はＹｅｓとなりＳ３１へ進む（Ｓ２５）。やり直す頁の画像が格納されているハードディスク８での記録場所１３を取得する（Ｓ３１、図６の＜Ｃ８＞）。その記録場所１３において、変更前の印刷画像４を変更後の印刷画像４Ｎに置き換える（Ｓ３２、図６の＜Ｃ９＞）。
【００４３】
印刷画像４をリライタブルペーパー出力装置１に送信して印刷する（Ｓ２８、図６の＜Ｃ１０＞）。処理のやり直しなのでＳ２９での判断はＹｅｓとなり、Ｓ３３へ進む（Ｓ２９）。変更前の印刷条件１１の項目と値をメモリ１４から取得し、一覧表１６を形成して画像バッファ１７に格納する（Ｓ３３）。次に変更後の印刷条件１１Ａの項目と値をメモリ１４から取得し、画像バッファ１７の一覧表１６に付加する（Ｓ３４、  図６の＜Ｃ１１＞）。
【００４４】
そして画像バッファ１７の内容、つまり一覧表１６をリライタブルペーパー出力装置１に送信して印刷する（Ｓ３５、図６の＜Ｃ１２＞）。一覧表１６の印刷結果の例は図８の通りである。そして、リライタブルペーパー出力装置１による試し印刷画像のチェック、本印刷のための処理等を行って終了する。
【００４５】
本実施の形態によれば、自動的に変更前の印刷条件設定１０と変更後の印刷条件設定１０Ａの項目と値の変更経歴を記録し、どの印刷画像４がどの印刷条件設定１０、１０Ａによって形成されたのかを記録するので、ユーザは記録する手間が省け、作業効率が上がる。記録は全てリライタブルペーパー３に印刷されるので、用紙５の消費を抑えられる。
【００４６】
前記の各実施の形態において、リライタブルペーパー出力装置１と従来の出力装置２を接続した上での利用状況と、リライタブルペーパー３の利用目的を考えると、リライタブルペーパー出力装置１に両面印刷、パンチ、ステープル等の機能を備えるのは無意味で資源の無駄である。かと言って印刷画像４の内容が正しくても、両面印刷、パンチ、ステープル等が正しく設定できたかの確認が取れず、従来の出力装置２での印刷の際に失敗すれば、リライタブルペーパー出力装置１の配置の意味が無くなるという問題が生じる。
【００４７】
請求項６に関する第４の実施の形態は上記の問題を解決するものである。
前述した各フローチャートにおいて、第１の実施の形態における図３のＳ２、第２の実施の形態における図５のＳ１１、第３の実施の形態における図７のＳ２３による、印刷条件１１に基づき出力内容１２を形成して画像バッファ１７に格納する処理の中で、出力内容１２の形成の際、両面、パンチ、ステープル等、画像内容とは無関係な印刷条件２０が設定されていたら、その印刷条件２０を示す文字列や図２１（図９〜図１３）を割り当て、メモリ１４から取得し、出力内容１２に合成する形で形成し、画像バッファ１７に格納する。
【００４８】
図９〜図１３は画像内容とは無関係の印刷条件を示す図２１である。具体的に説明すると、
図９は両面印刷が設定されたことを示す図２１の表示例、図１０はステープルが設定されたことを示す図２１の表示例、図１１はパンチが設定されたことを示す図２１の表示例、図１２は両面印刷とステープルが併せて設定されたことを示す図２１の表示例、図１３は両面印刷とパンチが併せて設定されたことを示す図２１の表示例である。
【００４９】
本実施の形態によれば、意図通りの両面印刷、パンチ、ステープル等が正しく設定できたかどうかを確認することができる。意図通りの両面印刷、パンチ、ステープル等の設定にならなくても、リライタブルペーパー３を白紙の状態に戻せるので、用紙５の無駄が無くなり、印刷コストの削減に繋がる。
また、奇数頁でパンチ又はステープルが左右上下のうち、どれか１つの位置に配置された場合、それを示す図や文字列２１を、画像バッファ１７の印刷画像４に合成描画し、偶数頁では奇数頁の位置と対称となる位置（反対側）にパンチ又はステープルを配置し、それを示す図や文字列２１を、画像バッファ１７の印刷画像４に合成描画することができる。
【００５０】
次に、両面印刷と併せてパンチ、ステープルを設定した場合、奇数頁と偶数頁とでは、綴じ代の位置が正反対の対称になるため、パンチ、ステープルの配置が相互に対称の位置となる。前記第４の実施の形態によると、リライタブルペーパー３は片面しか印刷されない。片面印刷であっても、奇数頁と偶数頁でパンチ、ステープルの配置が正しいかをすぐに把握できなければ、従来の出力装置２で印刷の失敗を起こしてしまい、リライタブルペーパー出力装置１の配置の意味が無くなるという問題がある。
【００５１】
次に、上記の問題を解決するための請求項７に関する第５の実施の形態を説明する。
前述した各フローチャートで、図３のＳ２、図５のＳ１１、図７のＳ２３による処理の中で、印刷条件１１を両面印刷且つパンチ、又はステープルが左右上下のうち、どれか１つ位置に配置されたかを取得しメモリ１４に格納する。頁が奇数頁だった場合、奇数頁の印刷条件１１と位置をメモリ１４から取得し、パンチ又はステープルの配置を示す図や文字列２１を、画像バッファ１７の印刷画像４合成描画する。
【００５２】
逆に頁が偶数頁だった場合、奇数頁の印刷条件１１と位置をメモリ１４から取得し、奇数頁の位置と対称となる位置（反対側）にパンチ又はステープルを配置し、それを示す図や文字列２１を画像バッファ１７の印刷画像４に合成描画する。
【００５３】
なお、図１４のように図９〜図１３の図２１を文書の中に合成するが、図１５のように従来の出力装置２から印刷されたイメージを合成する方法もある。ただ図１４の方が、合成する図２１を１つ用意するだけで、且つ合成位置を１つの位置に固定するだけなので、合成処理が簡易化するメリットがある。
【００５４】
本実施の形態によれば、両面印刷の時にパンチ、ステープルの配置が正しく設定できたかどうかを確認することができる。パンチ、ステープルの配置が正しくなかったとしても、リライタブルペーパ３を白紙の状態に戻せるので、用紙５の無駄が無くなり、印刷コストの削減に繋がる。
【００５５】
【発明の効果】
本発明によれば、印刷処理装置とリライタブル印刷出力装置とを接続し、印刷出力装置で印刷条件を設定し、その印刷条件で作成された印刷画像をリライタブル印刷出力装置で試し印刷した後、印刷出力装置で本印刷するようにしたことにより、試し印刷したリライタブルペーパーは白紙の状態に戻して再使用できるので、用紙の無駄が無くなり、印刷コストの削減を図ることができる。
【図面の簡単な説明】
【図１】本発明の実施の形態による印刷システムの構成を示すブロック図である。
【図２】本発明の第１の実施の形態による印刷システムの構成及びデータの流れを示すブロック図である。
【図３】本発明の第１の実施の形態による動作を示すフローチャートである。
【図４】本発明の第２の実施の形態による印刷システムの構成及びデータの流れを示すブロック図である。
【図５】本発明の第２の実施の形態による動作を示すフローチャートである。
【図６】本発明の第３の実施の形態による印刷システムの構成及びデータの流れを示すブロック図である。
【図７】本発明の第３の実施の形態による動作を示すフローチャートである。
【図８】本発明の第３の実施の形態による一覧表の表示例を示す構成図である。
【図９】本発明の第４の実施の形態による両面印刷の表示例を示す構成図である。
【図１０】本発明の第４の実施の形態によるステープルの表示例を示す構成図である。
【図１１】本発明の第４の実施の形態によるパンチの表示例を示す構成図である。
【図１２】本発明の第４の実施の形態に両面印刷＆よるステープルの表示例を示す構成図である。
【図１３】本発明の第４の実施の形態による両面印刷＆パンチの表示例を示す構成図である。
【図１４】本発明の第５の実施の形態によるの印刷画像内の表示例を示す構成図である。
【図１５】本発明の第５の実施の形態によるの印刷画像内の他の表示例を示す構成図である。
【符号の説明】
１  リライタブルペーパー出力装置
２  従来の出力装置
３  リライタブルペーパー
４  印刷画像
４Ｎ  新たな印刷画像
５  用紙
６  パソコン
７  プリンタドライバ
８  ハードディスク
９  本印刷開始ボタン
１０  印刷条件設定
１０Ａ  変更後の印刷条件設定
１１  印刷条件
１１Ａ  変更後の印刷条件
１２  出力内容
１３  記録場所
１４  メモリ
１５  確認番号
１６  一覧表
１７  画像バッファ
１８  制御プログラム
１９  ＣＰＵ
２０  画像内容と無関係の印刷条件
２１  画像内容と無関係の印刷条件を示す図や文字列図の例示
【図１】
2005022343.tif 000003
【図２】
2005022343.tif 000004
【図３】
2005022343.tif 000005
【図４】
2005022343.tif 000006
【図５】
2005022343.tif 000007
【図６】
2005022343.tif 000008
【図７】
2005022343.tif 000009
【図８】
2005022343.tif 000010
【図９】
2005022343.tif 000011
【図１０】
2005022343.tif 000012
【図１１】
2005022343.tif 000013
【図１２】
2005022343.tif 000014
【図１３】
2005022343.tif 000015
【図１４】
2005022343.tif 000016
【図１５】
2005022343.tif 000017